(57)【要約】【課題】携帯電話から発生する電子波を極小化する携帯電話電子波除去器を提供する。【解決手段】外部アンテナを備えた携帯電話の場合、外部アンテナにＵ形ケーシングを被せ、Ｕ形ケーシング内には、外部アンテナの上端金属部と接触して、外部アンテナから発生する電子波を吸収する二重金属板を装着し、内部アンテナを備えた携帯電話の場合、内部アンテナに板状のケーシングを連結し、板状のケーシングを、内部アンテナから発生する電子波を吸収する二重金属板にモールディングして構成する。二重金属板は、純度９９％以上の銅板と、ニッケル７８〜８６重量％、銅１〜６重量％及び鉄１４〜２０重量％を含む合金板とを積層してなり、Ｕ形ケーシングには夜光塗料を含浸させ、Ｕ形ケーシングには、表面に夜光塗料が塗布された夜光層を形成する。【選択図】図１
2006054753.tif 000002
【特許請求の範囲】
【請求項１】
上端金属部を有する外部アンテナを備えた携帯電話において、
前記外部アンテナにはＵ形ケーシングが被せられ、前記Ｕ形ケーシング内には、外部アンテナの上端金属部と接触して、外部アンテナから発生する電子波を吸収する二重金属板が装着されることを特徴とする携帯電話電子波除去器。
【請求項２】
内部アンテナを備えた携帯電話において、
前記内部アンテナには板状のケーシングが連結され、前記板状のケーシングは、内部アンテナから発生する電子波を吸収する二重金属板にモールディングして構成されることを特徴とする携帯電話電子波除去器。
【請求項３】
前記二重金属板は、
純度９９％以上の銅板と、
ニッケル７８〜８６重量％、銅１〜６重量％及び鉄１４〜２０重量％を含む合金板とを積層してなることを特徴とする請求項１又は２に記載の携帯電話電子波除去器。
【請求項４】
前記Ｕ形ケーシングには夜光塗料が含浸されていることを特徴とする請求項１に記載の携帯電話電子波除去器。
【請求項５】
前記Ｕ形ケーシングには、表面に夜光塗料が塗布された夜光層が形成されることを特徴とする請求項１に記載の携帯電話電子波除去器。
【発明の詳細な説明】
【技術分野】
【０００１】
本発明は携帯電話電子波除去器に係り、より詳しくは携帯電話から発生する、人体に有害な静電気及び電界を除去するために、銅板とニッケルを主成分とした合金板からなった積層体をケーシング内に装着してなったもので、携帯電話のアンテナに簡単に嵌着して使用し易くした携帯電話電子波除去器に関するものである。
【背景技術】
【０００２】
周知のように、文明が発達するにつれて、個人用移動通信端末機である携帯電話は現代人の必須品となって通信革命をなしたが、最近、携帯電話から発生する有害電子波が人体の脳に悪影響を与えるという事実が学会に報告されて社会的問題として台頭しているため、国際的に電子波に対する基準値を備えて法的に規制することに至った。
携帯電話から発生して人体に悪影響を与える二つの要素は静電気と電子波である。そのうち、静電気は各種の皮膚病を誘発させ、生体リズムを破るため、糖尿病、心臓病などの原因として浮上している反面、電子波は人体内で生体時計の役割を担当しているホルモンであるメラトニンの分泌量減少、細包膜を通過するナトリウム、カリウムなどのイオンの分布変化をもたらし、さらに視力減少、癌及び白血病の誘発、体熱上昇、皮膚老化の促進など、人体に非常に有害なものとして知られている。
【０００３】
このような携帯電話電子波の危険を減少させるための方法として、純度９９％以上のアルミニウム１０〜５０重量％、及びニューメタル９０〜５０重量％を円筒形にモールド整形してリング体を形成し、その外皮として銅でケーシングを形成し、ゴムリングを被せた形態の電子波除去器が開示されている（例えば、特許文献１参照）。この電子波除去器は、アンテナの周囲のみを取り囲む形態になっている。
しかし、前記のような特許文献１の電子波除去器は、アンテナ周囲のみを取り囲むばかりで、電子波が最大に発生する金属上端部が露出しているため、電子波の発生減少率が著しく低下し、しかも前記のように組成された電子波除去器の合金比率も電子波を遮断するのには満足できない問題点がある。
【特許文献１】大韓民国登録実用新案第２５８１６０号公報明細書
【発明の開示】
【発明が解決しようとする課題】
【０００４】
したがって、本発明は前記のような従来の問題点を解決するためになされたもので、携帯電話から発生する電子波を極小化することを目的とする。
【課題を解決するための手段】
【０００５】
前記目的を達成するため、本発明は、上端金属部を有する外部アンテナを備えた携帯電話において、前記外部アンテナにはＵ形ケーシングが被せられ、前記Ｕ形ケーシング内には、外部アンテナの上端金属部と接触して、外部アンテナから発生する電子波を吸収する二重金属板が装着される携帯電話電子波除去器を提供する。
また、本発明は、内部アンテナを備えた携帯電話において、前記内部アンテナには板状のケーシングが連結され、前記板状のケーシングは、内部アンテナから発生する電子波を吸収する二重金属板にモールディングして構成される携帯電話電子波除去器を提供する。
前記二重金属板は、純度９９％以上の銅板と、ニッケル７８〜８６重量％、銅１〜６重量％及び鉄１４〜２０重量％を含む合金板とを積層してなる。
前記Ｕ形ケーシングには夜光塗料が含浸されている。
前記Ｕ形ケーシングには、表面に夜光塗料が塗布された夜光層が形成される。
【発明の効果】
【０００６】
以上のような本発明は、携帯電話による通話時に発生する有害電子波を大きく減少させることができる。本発明の携帯電話電子波除去器と従来の製品を、生体組織内電子波吸収率試験（SAR TEST）を実施して、比較した結果、従来の製品が０．７５ｗ／ｋｇ（Ｓ社）、０．８１ｗ／ｋｇ（Ｌ社）のように高い反面、本発明の製品は０．５１ｗ／ｋｇ（又は０．８２２ｗ／ｋｇ）くらいに過ぎないことから、電子波発生を大きく減少させることが分かった。
【０００７】
すなわち、本発明はアンテナに二重金属板を適用することにより、図４及び図５の電子波吸収率の試験成績書から分かるように、特定周波数帯域（図４の８２４．６４ＭＨｚ〜８４８．３７ＭＨｚ、図５の１７６５ＭＨｚ）での電子波吸収率を高めて、有害電子波が人体に伝達されることを大幅減少させる。
【発明を実施するための最良の形態】
【０００８】
以下、添付図面の図１ないし図５に基づいて本発明の好ましい実施例を詳細に説明する。
本発明は、純度９９％以上の銅板１１と、ニッケル７８〜８６重量％、銅１〜６重量％及び鉄１４〜２０重量％を含む合金板１２とを積層して二重金属板１を作った後、前記に重金属板１をＵ形ケーシング２又は板状ケーシング５に装着し、前記二重金属板１が装着されたＵ形ケーシング２を携帯電話６の外部アンテナ３に被せるか、あるいは板状ケーシング５を携帯電話６の内部アンテナ７に連結した携帯電話電子波除去器に係る。
このような本発明による携帯電話電子波除去器において、前記銅板１１は９９％以上の純度を有する銅を板状に成型したもので、その厚さはおよそ０．００１〜２ｍｍの範囲にすることが好ましい。
【０００９】
前記合金板１２はニッケルを主成分とするもので、特に磁界系列の波を吸収通過させる能力に優れ、使用する板の厚さはおよそ０．００１〜２ｍｍの範囲にすることが好ましい。
この際、前記銅板１１と合金板１２を接着して積層した図３の二重金属板１は、図１に示すように、携帯電話６の外部アンテナ３に装着する場合、まずＵ形ケーシング２の内側に二重金属板１を装着させた後、前記Ｕ形ケーシング２を携帯電話の外部アンテナ３に結合させる。
すると、前記Ｕ形ケーシング２内に装着された二重金属板１が外部アンテナ３の上端金属部４と接触することにより、携帯電話６の使用時、外部アンテナ３から発生する電子波を除去することができる。
【００１０】
また、図２に示すように、内部アンテナ７を適用した携帯電話６においては、内部アンテナ７の上端部が板状ケーシング５に接合されている。前記板状ケーシング５は、二重金属板１をモールディング処理することにより、前記二重金属板１が内部アンテナ７の上端部を覆い、その内部アンテナ７から発生する電子波を効果的に除去することができる。
ここで、前記Ｕ形ケーシング２と板状ケーシング５はプラスチック材又はゴム材のものが好ましいが、装着時の弾力性を考慮してゴム材から形成することがより好ましい。
【００１１】
また、前記Ｕ形ケーシング２には夜光塗料を含浸させるか、この夜光塗料を表面に塗布した夜光層（図示せず）を形成することにより、携帯電話６を夜間に使用する場合、携帯電話の外観を美麗にするとともに、携帯電話６の外部からの識別力を向上させる利点を提供することができる。
ここで、前記夜光塗料としては、一般の放射性物質で、ラジウム、ウラニウムなどが微量含有されたアルカリ土金属（カルシウム、マグネシウム、バリウムなど）、又は亜鉛の硫化物を燐光体として使用するものであるが、必ずしもこれらに限定されるものではない。
【図面の簡単な説明】
【００１２】
【図１】本発明を携帯電話の外部アンテナに装着した状態を示す正面図である。
【図２】本発明を携帯電話の内部アンテナに装着した状態を示す正面図である。
【図３】本発明の電子波除去用二重金属板の断面図である。
【図４】８２４．６４ＭＨｚ〜８４８．３７ＭＨｚの周波数帯域での本発明の携帯電話電子波除去器の電子波吸収率試験成績書である。
【図５】１７６５ＭＨｚの周波数帯域での本発明の携帯電話電子波除去器の電子波吸収率試験成績書である。
【符号の説明】
【００１３】
１    二重金属板
２    Ｕ系ケーシング
３    外部アンテナ
４    アンテナ上端金属部
５    板状ケーシング
６    携帯電話
７    内部アンテナ
１１    銅板
１２    合金板
【図１】
2006054753.tif 000003
【図２】
2006054753.tif 000004
【図３】
2006054753.tif 000005
【図４】
2006054753.tif 000006
【図５】
2006054753.tif 000007